(57)【要約】      （修正有）【課題】鍋物セットやほうれん草類を見栄え良く入れて出荷あるいは盛り付けすることが出来ると共に、袋から取り出す際、特に葉物野菜の場合、葉を傷めないようにできる包装用袋を提供する。【解決手段】正面視逆台形状を呈する２枚のフィルムの両サイド及び底辺に沿ってシール４、５、６することにより袋１を形成する。そして、サイドシール４又は５のいずれか一方又は双方に単数又は複数のノッチ７を入れる。鍋物セット８の場合は、トップシールを行って密封し、ほうれん草等の葉物はトップシールは行わないで流通あるいは展示を行う。使用するときは、ノッチ７から静かに袋１を引き裂き、中の鍋物セット８を袋１内から静かに器内に取り出す。このようにすると、食材は乱れず、見栄え良く器内に盛り付けを行うことができる。【選択図】図２
0003132013.tif 000002
【実用新案登録請求の範囲】
【請求項１】
正面視逆台形状を呈する２枚のフィルムの両サイドに沿ってサイドシールを行い、底辺に沿ってボトムシールを行うと共に、前記サイドシール部分の一方又は両方に開封又は破袋用の易開封手段を設けて成る野菜及び鍋物セット等の食品包装用袋。
【請求項２】
請求項１に記載の袋は、食品を包装した後、上辺の口は開放したままか、又は上辺に沿ってトップシールを行うことにより密封されていることを特徴とする食品包装用袋。
【請求項３】
請求項１に記載の袋に、ほうれん草、小松菜等の葉物野菜を収容した場合は、根側を下にして収容することを特徴とする食品包装用袋。
【考案の詳細な説明】
【技術分野】
【０００１】
本考案は、鍋物セット、鍋物野菜セット、あるいは、ほうれん草、小松菜等といった葉物野菜を含む食材を包装するための樹脂フィルム製包装用袋に関するものである。
【背景技術】
【０００２】
鍋物セットや鍋物野菜セット等の場合、具には里芋やにんじん、ねぎ等のカットしたものに加えて、白菜や春菊と云った葉物野菜をカットしたものが一緒に密封包装されている。このような包装手段の代表的な例は、トレーに具を入れ、ラップをかけたものであるが、このようなトレー方式は、包装に際して具を見栄え良く揃えたのち、この上にラップをかけるため、手間がかかる。
そこで、樹脂フィルム製の袋内に具を直接入れて密封する包装手段もとられているが、この方式の場合、前記した手間がかからないことから、大量生産には向いているが、この弱点は、袋内に野菜を入れるときに、見栄え良く入れようとしても、袋と野菜の表面が滑らず、綺麗に揃わないことから、見栄えが悪くなるという問題がある。
【０００３】
また、従来のほうれん草や小松菜と云った葉物野菜の場合、ポリプロピレンフィルム製の袋に入れられている例が多く、また、このポリプロピレンフィルム製の袋は、形状的には、正面視逆台形状に形成されたりはしているが、その両サイドと底辺は溶断シール方法により製袋されているため、袋内から野菜を取り出すときに、そのまま葉を持って引き出すようにすると葉を傷めてしまう。そこで、袋を破って取り出そうとすると、この時も袋に破り目が無いことから、溶断シール部分から無理に引き裂くような方法をとることが多く、この場合も葉を傷めてしまう。
【考案の開示】
【考案が解決しようとする課題】
【０００４】
本考案は、叙上の如き欠点のない食品包装用袋を提案するのが目的であって、袋内に見栄え良く野菜類を入れたり、器等に見栄え良く盛り付けすることができると共に、特に葉物野菜の場合、取り出すときに葉を傷めないで開封したり、取り出すことができる点に特徴がある。
【課題を解決するための手段】
【０００５】
上記目的を達成するため、請求項１に記載の考案においては、野菜及び鍋物セット等の食品包装用袋において、正面視逆台形状を呈する２枚のフィルムの両サイドに沿ってサイドシールを行い、底辺に沿ってボトムシールを行うと共に、前記サイドシール部分の一方又は両方に開封又は破袋用の易開封手段を設けて成ることを特徴とするものである。
【０００６】
更に、請求項２に記載の考案においては、請求項１に記載の袋は、食品を包装した後、上辺の口は開放したままか、又は上辺に沿ってトップシールを行うことにより密封されていることを特徴とするものである。
【０００７】
更に、請求項３に記載の考案においては、請求項１に記載の袋に、ほうれん草、小松菜等の葉物野菜を収容した場合は、根側を下にして収容することを特徴とするものである。
【考案の効果】
【０００８】
上記袋は、開封する際は、易開封手段としての例えば、ノッチの部分から袋をカットすると、袋は嵩張る上側が開放され、同時に下側も無理なく開放されて食材がそのまま露出するので、そのまま鍋や器等に見栄え良く盛り付けすることができる。
また、ほうれん草のような葉物野菜を包装したときは、ノッチ等の位置を下側に変更することにより、先ず狭くなっている袋の底側を開放することができるため、根の部分が先に袋から露出し、葉物を袋から上方に引き出すときに、この根の部分が袋に引っ掛かることもなく、よって、葉を傷めたりすることもない。
また、鍋物セット等の場合、重いものは袋の底側に、葉物野菜は袋の容積の広い上側に収容されるため、見栄えの向上に併せて、特に嵩張るカットした葉の部分が圧迫されて傷むということがない。
【実施例】
【０００９】
上記本考案について、その実施例を添付の図面に基づいて詳細に説明する。
図１は、正面視逆台形状に形成された包装用袋であって、この袋１は、同形の樹脂表フィルム２と裏フィルム３を左右両サイドに沿って一定の幅でサイドシール４、５を行い、更に底辺に沿ってボトムシール６を行うことにより、袋状に形成されている。
この袋１の前記表フィルム２と裏フィルム３には、ポリプロピレンフィルムが使用されているが、他の樹脂フィルムあるいは複合フィルムを用いることができる。ヒートシールには、通常のヒートバーが用いられる。
【００１０】
７は、サイドシール４、５の略中央に設けられた易開封手段としてのＶノッチである。なお、このＶノッチ７は、サイドシール４、５において、片方だけに設けても良い。また、その位置及び数は、包装する食材や盛り付けを考慮して、ボトムシール６に近い位置、あるいは口９に近い位置、あるいはこの両方又は中央も含めて３ヶ所ずつに設けても良い。
【００１１】
図３に基づいて、図２に示すようにして鍋物セット８を包装した袋１を開放して器１１に盛り付けを行う例を説明する。（Ａ）は、袋１を開封する直前を示すもので、器１１の上に袋１を横にして近づけ、袋１のボトムシール６側と口９側を摘み、（Ｂ）に示すように、Ｖノッチ７から引き裂くようにすると、袋１は略中央部から２つに大きく開封するので、静かに鍋物セット８を器１１内に取り出し、そのまま置くように盛り付ける。このようにすることで、（Ｃ）に示すように、鍋物セット８は乱れることなく、大変見栄え良く盛り付けを行うことができる。
図４は、ほうれん草１２を袋１内に収容した状態を示すもので、この時の袋１のＶノッチ７は、ボトムシール６に近い位置に設けてあり、袋１の底側をカットしてほうれん草１２の根１２ａ側を開放することで、葉を傷めずに、簡単に引き上げて取り出すことができる。
なお、Ｖノッチ７は、Iノッチあるいはマジックカット等と称される易開封手段の何れでも良い。
図５は、盛り付ける例ではなく、トップシール１０により密封した袋１内から土鍋１３に鍋物セット８を取り出している状態を示すものである。
このように、袋１において、トップシール１０を行うか否かは、販売形態や、包装する食材類により決定する。
【図面の簡単な説明】
【００１２】
【図１】本考案に係る包装用袋の斜視図
【図２】鍋物セットを袋内に入れて密封した状態の説明図
【図３】袋をＶノッチでカットして鍋物セットを器内に盛り付けるまでの説明図であって、（Ａ）は袋の開封直前の説明図、（Ｂ）は一部開封した状態の説明図、（Ｃ）は盛り付けが終わった状態の説明図
【図４】袋内にほうれん草を入れた例の説明図
【図５】袋から食材を土鍋内に取り出している例の説明図
【符号の説明】
【００１３】
１  袋
２  表フィルム
３  裏フィルム
４、５サイドシール
６  ボトムシール
７  Ｖノッチ
８  鍋物セット
９  口
１０  トップシール
１１  器
１２  ほうれん草
１３  土鍋
【図１】
0003132013.tif 000003
【図２】
0003132013.tif 000004
【図３】
0003132013.tif 000005
【図４】
0003132013.tif 000006
【図５】
0003132013.tif 000007